(57)【特許請求の範囲】
【請求項１】
プラスチックシートを折曲げ線に沿って折曲げ形成した筒状のケース本体と、該ケース本体の側面板開口端から延出してケース本体の両側開口をそれぞれ閉塞する一対の蓋板とを有するプラスチックケースにおいて、前記蓋板が設けられていない側面板の開口端に、第１の折曲げ線によってケース本体内部側に折曲げられた後、該第１の折曲げ線の方向に凸となる円弧状に形成された第２の折曲げ線によって他方の開口に向かう方向に折曲げられ、該第２の折曲げ線より先端側がケース内に収納した物品の側面に当接する収納物保持片を設けたことを特徴とするプラスチックケース。
【請求項２】
前記収納物保持片をケース本体の一方の開口部に設けるとともに、他方の開口部には、前記蓋板が設けられていない側面板の開口端に第１の折曲げ線を介して蓋板よりも本体内部側に配置される第２の収納物保持片を設け、該第２の収納物保持片は、前記第１の折曲げ線によって該側面板の内面に沿うように折曲げられた第２の収納物保持片の先端側を対向する側面板の方向に折曲げるための第２の折曲げ線と、該第２の折曲げ線によって折曲げられた第２の収納物保持片の先端側を対向する側面板の内側で該側面板の内面に沿うように開口端方向に折曲げるための第３の折曲げ線と、該第３の折曲げ線によって折曲げられた第２の収納物保持片の先端側を側面板開口端で蓋板の内面に沿う方向に折曲げるための第４の折曲げ線とを有し、前記第２の折曲げ線と第３の折曲げ線との間に、ケース内に収納した物品が嵌合する物品保持孔を有していることを特徴とする請求項１記載のプラスチックケース。
【発明の詳細な説明】
【０００１】
【発明の属する技術分野】
本発明は、プラスチックケースに関し、詳しくは、化粧品等の小物を収納した状態で展示販売するのに適したプラスチックケースに関する。
【０００２】
【従来の技術及び発明が解決しようとする課題】
従来から、小さな物品を収納するためのケース（箱）として、収納した物品がケース内で動くことを防止するため、ケース内に詰め物を入れたり、物品保持用の部材を設けたりしたものが用いられている。しかし、このようなケースでは、ケース本体とは別に詰め物や保持部材を用意しなければならず、１枚のプラスチックシートを折曲げ線に沿って折曲げるだけでケースを形成できるという、プラスチックケースの利点、特徴を損なうことになる。
【０００３】
一方、小さな物品を、その形状に応じた小さなケースに収納した場合は、店頭陳列時の見映えが悪くなり、商品のアピール効果が低下するだけでなく、全体が手の中に入ってしまうようなものは盗難に対する配慮も必要になる。
【０００４】
そこで本発明は、１枚のプラスチックシートを折曲げ線に沿って折曲げ形成したプラスチックケースに小さな物品を収納する場合、ケースの大きさをディスプレイ効果が十分に得られるような大きさにしても、収納した物品がケース内で移動しないように確実に保持しておくことができるプラスチックケースを提供することを目的としている。
【０００５】
【課題を解決するための手段】
上記目的を達成するため、本発明のプラスチックケースは、プラスチックシートを折曲げ線に沿って折曲げ形成した筒状のケース本体と、該ケース本体の側面板開口端から延出してケース本体の両側開口をそれぞれ閉塞する一対の蓋板とを有するプラスチックケースにおいて、前記蓋板が設けられていない側面板の開口端に、第１の折曲げ線によってケース本体内部側に折曲げられた後、該第１の折曲げ線の方向に凸となる円弧状に形成された第２の折曲げ線によって他方の開口に向かう方向に折曲げられ、該第２の折曲げ線より先端側がケース内に収納した物品の側面に当接する収納物保持片を設けたことを特徴としている。
【０００６】
さらに、本発明のプラスチックケースは、前記収納物保持片をケース本体の一方の開口部に設けるとともに、他方の開口部には、前記蓋板が設けられていない側面板の開口端に第１の折曲げ線を介して蓋板よりも本体内部側に配置される第２の収納物保持片を設け、該第２の収納物保持片は、前記第１の折曲げ線によって該側面板の内面に沿うように折曲げられた第２の収納物保持片の先端側を対向する側面板の方向に折曲げるための第２の折曲げ線と、該第２の折曲げ線によって折曲げられた第２の収納物保持片の先端側を対向する側面板の内側で該側面板の内面に沿うように開口端方向に折曲げるための第３の折曲げ線と、該第３の折曲げ線によって折曲げられた第２の収納物保持片の先端側を側面板開口端で蓋板の内面に沿う方向に折曲げるための第４の折曲げ線とを有し、前記第２の折曲げ線と第３の折曲げ線との間に、ケース内に収納した物品が嵌合する物品保持孔を有していることを特徴としている。
【０００７】
【発明の実施の形態】
図１は本発明のプラスチックケースの一形態例を示す展開図、図２は組立て後のプラスチックケースの蓋を開いた状態を示す斜視図、図３は物品を収納した状態のプラスチックケースを示す斜視図である。
【０００８】
このプラスチックケースは、所定形状に打ち抜かれ、所定位置に折曲げ線を設けた一枚のプラスチックシート１を、前記折曲げ線に沿って所定方向に折曲げるとともに、糊代片を接着することによって箱状に組立てられるものである。前記プラスチックシート１には、折曲げ線２１〜２４により、四角形断面の角筒状ケース本体１０を形成する４枚の側面板１１〜１４及び糊代片１５が区画形成されている。また、側面板１３の両開口端には折曲げ線２５を介して蓋板１６がそれぞれ設けられており、この蓋板１６の先端には、折曲げ線２６を介して差し込み片１７がそれぞれ設けられている。さらに、側面板１２，１４の下部開口端には、折曲げ線２７を介して内蓋板１８がそれぞれ設けられている。また、側面板１１の上部は、上部開口端を超えて上方に延出し、吊下げ孔１９ａを有する吊下げ片１９を形成している。
【０００９】
そして、側面板１２，１４の上部開口端には、第１折曲げ線３１を介して第１収納物保持片３３が設けられており、該第１折曲げ線３１の近傍には、第１折曲げ線３１側に凸となる円弧状に形成された第２折曲げ線３２が設けられている。
【００１０】
一方、側面板１１の下部開口端には、第１折曲げ線４１を介して第２収納物保持片４３が設けられている。この第２収納物保持片４３には、第１折曲げ線４１の近傍に第２折曲げ線４２が設けられており、先端側には、第３折曲げ線４４と第４折曲げ線４５とが設けられている。前記第２折曲げ線４２と第３折曲げ線４４との間隔は、側面板１２，１４間の内面間距離に等しく設定され、第３折曲げ線と第４折曲げ線４５との間隔は、第１折曲げ線４１と第２折曲げ線４２との間隔に等しく設定されている。
【００１１】
また、第２折曲げ線４２と第３折曲げ線４４との間に形成される収納物保持部４６には、ケース内に収納する物品５１の底部あるいは下部が嵌合する物品保持孔４７が設けられており、第４折曲げ線４５の先には、ケース組立て時に前記内蓋板１８の外面に沿うように折曲げられ、かつ、前記蓋板１６の内面に沿う方向に折曲げられる係止片４８が設けられている。
【００１２】
このプラスチックシート１は、各側面板１１，１２，１３，１４及び糊代片１５を折曲げ線２１〜２４により同一方向にそれぞれ直角に折曲げ、糊代片１５と側面板１４とを接着することによって角筒状のケース本体１０を組立てる。そして、ケース底部側では、第２収納物保持片４３を第１折曲げ線４１により側面板１１の内面に沿うように折曲げた後、第２折曲げ線４２によりケース内側方向に直角に折曲げ、収納物保持部４６を底面と平行になるようにする。
【００１３】
このとき、第３折曲げ線４４は、収納物保持部４６に対して直角に、側面板１３の内面に沿うようにして底面方向に折曲げ、さらに、第４折曲げ線４５により、先端の係止片４８をケース内側方向に折曲げ、折曲げ線２８で折曲げられた内蓋板１８をケース内側に位置させて係止片４８が内蓋板１８の外側に沿うように折曲げる。最後に蓋板１６を折曲げ線２５により折曲げて差し込み片１７を側面板１１の内側に挿入することにより、底面から所定の高さに物品保持孔４７を有する収納物保持部４６を位置させた状態の底部構造が得られる。
【００１４】
この状態で、収納物保持部４６の両側に位置する第１折曲げ線４１と第２折曲げ線４２との間隔及び第３折曲げ線４４と第４折曲げ線４５との間隔が等しく設定されているので、収納物保持部４６は、底面の蓋板１６と平行な状態となる。また、係止片４８が内蓋板１８と蓋板１６との間に挟まれた状態になっているので、収納物保持部４６を所定位置に確実に保持しておくことができる。
【００１５】
一方、上部側の開口においては、第１収納物保持片３３を第１折曲げ線３１によりケース内側方向に折曲げた後、さらに、第２折曲げ線３２の部分で第１収納物保持片３３の先端が下部開口に向かう方向に折曲げる。この第２折曲げ線３２の部分での折曲げは、該折曲げ線３２が円弧状に形成されているため、第１収納物保持片３３の折曲げ線３２より先端側に、ケース内に収納した物品の側面に当接する方向の復元力が発生する。
【００１６】
したがって、図３に示すように、前記第１収納物保持片３３を前述のように折曲げてから物品５１をケース内に挿入すると、該物品５１の胴部両側が第１収納物保持片３３にそれぞれ当接し、該物品５１の底部が前記物品保持孔４７に嵌合した状態になる。したがって、物品５１は、底部が第２収納物保持片４３の物品保持孔４７に保持され、胴部が第１収納物保持片３３によって保持された状態となるので、ケース本体１０よりも小さな物品５１を収納した場合でも、物品５１をケース内に確実に保持することができる。
【００１７】
すなわち、ケース内に詰め物を入れたり、物品保持用の部材を設けることなく、小さな物品５１を所望の大きさのケースに収納することができるので、店頭での陳列時における商品のアピール効果を向上させることができるとともに、盗難の危険度も大幅に少なくなる。
【００１８】
なお、前記形態例で示すように、第２収納物保持片４３に物品保持孔４７を設けて物品５１の底部を保持することにより、ケース本体１０の幅寸法、奥行き寸法よりも胴部寸法が小さな物品をケース内の所定位置に保持することができるが、ケース本体１０の幅寸法及び奥行き寸法を物品５１の胴部寸法に対応した寸法とした場合は、物品保持孔４７を設けなくてもよい。また、物品５１の形状や重量等の条件によっては、底部側の第２収納物保持片４３を設けずに、上部側の第１収納物保持片３３を設けるだけでも物品５１をケース内の所定位置に保持しておくことが可能である。この場合、ケース底部側は通常の底部構造、例えば地獄底にしておくこともできる。さらに、前記形態例は、吊下げケースを例示したが、通常の箱形のケースでも同様に形成することができる。
【００１９】
【発明の効果】
以上説明したように、本発明のプラスチックケースによれば、１枚のプラスチックシートを折曲げ形成したケース内に小さな物品を収納する場合でも、別の部材を必要とせずに、所望の大きさのケース内に物品を確実に保持した状態で収納することができるので、物品に比べて大きなケースを使用することができる。これにより、店頭陳列時のディスプレイ効果が向上し、商品を積極的にアピールして商品の販売促進に貢献することができるとともに、小さな物品における盗難防止対策にも有効である。
【図面の簡単な説明】
【図１】  本発明のプラスチックケースの一形態例を示す展開図である。
【図２】  組立て後のプラスチックケースの蓋を開いた状態を示す斜視図である。
【図３】  物品を収納した状態のプラスチックケースを示す斜視図である。
【符号の説明】
１…プラスチックシート、１０…ケース本体、１１〜１４…側面板、１５…糊代片、１６…蓋板、１７…差し込み片、１８…内蓋板、１９…吊下げ片、１９ａ…吊下げ孔、２１〜２７…折曲げ線、３１…第１折曲げ線、３２…第２折曲げ線、３３…第１収納物保持片、４１…第１折曲げ線、４２…第２折曲げ線、４３…第２収納物保持片、４４…第３折曲げ線、４５…第４折曲げ線、４６…収納物保持部、４７…物品保持孔、４８…係止片、５１…物品
【図１】
0004126164.tif 000002
【図２】
0004126164.tif 000003
【図３】
0004126164.tif 000004